(57)【特許請求の範囲】
【請求項１】
吐水口を有し、前記吐水口から水を噴射して人体の局部を洗浄するノズルと、
前記水を供給する給水手段と、
前記給水手段から供給された水を前記吐水口へ導く流路と、
前記流路の途中に設けられ、殺菌水を生成可能な殺菌水生成手段と、
前記殺菌水生成手段よりも上流側に設けられ、前記殺菌水生成手段へ供給される水を加熱可能な加熱手段と、
前記人体を検知する人体検知センサと、
前記給水手段、前記殺菌水生成手段、および前記加熱手段の動作を制御する制御部と、
を備え、
前記制御部は、前記人体検知センサが人体を検知すると、前記給水手段および前記加熱手段を動作させて前記吐水口から前記水を排出する温水準備を実行し、前記殺菌水生成手段よりも下流側の前記流路を前記殺菌水で満たすために必要な時間に基づいて、前記温水準備を開始した後に前記殺菌水生成手段を駆動するタイミングを制御することを特徴とする衛生洗浄装置。
【請求項２】
前記加熱手段により加熱された水の温度を検知する第１の温度検知手段をさらに備え、
前記制御部は、前記第１の温度検知手段により検知された温度が予め設定された温度になると前記殺菌水生成手段の駆動を開始することを特徴とする請求項１記載の衛生洗浄装置。
【請求項３】
前記制御部は、前記温水準備を終了した後に、前記殺菌水生成手段の駆動を開始することを特徴とする請求項１記載の衛生洗浄装置。
【請求項４】
前記制御部は、前記温水準備を開始してから一定時間が経過した後に、前記殺菌水生成手段の駆動を開始することを特徴とする請求項１記載の衛生洗浄装置。
【請求項５】
前記加熱手段に供給される水の温度を検知する第２の温度検知手段をさらに備え、
前記制御部は、前記第２の温度検知手段により検知された温度に基づいて、前記殺菌水生成手段よりも下流側の前記流路を前記加熱手段により加熱された水で満たすために必要な適温継続時間を設定し、前記殺菌水生成手段の駆動を停止するタイミングが前記温水準備を終了するタイミングまたは終了する前のタイミングとなるように前記適温継続時間に基づいて前記殺菌水生成手段の駆動を開始することを特徴とする請求項１記載の衛生洗浄装置。
【請求項６】
前記加熱手段に供給される水の温度を検知する第２の温度検知手段をさらに備え、
前記制御部は、前記第２の温度検知手段により検知された温度に基づいて前記殺菌水生成手段よりも下流側の前記流路を前記加熱手段により加熱された水で満たすために必要な適温継続時間を記憶する記憶手段を有し、前記記憶手段に記憶された過去の前記適温継続時間を参照して、前記殺菌水生成手段の駆動を停止するタイミングが前記温水準備を終了するタイミングまたは終了する前のタイミングとなるように前記殺菌水生成手段の駆動を開始することを特徴とする請求項１記載の衛生洗浄装置。
【請求項７】
吐水部を有し、前記吐水部から吐水された水により前記ノズルの表面を洗浄するノズル洗浄手段をさらに備え、
前記制御部は、前記吐水部から前記殺菌水を吐水させた後、前記ノズルの前記吐水口のみから前記殺菌水を吐水させて前記温水準備を終了することを特徴とする請求項１〜６のいずれか１つに記載の衛生洗浄装置。
【請求項８】
前記殺菌水生成手段は、電解槽であり、
前記殺菌水は、前記電解槽により生成される次亜塩素酸を含む水であることを特徴とする請求項１〜７のいずれか１つに記載の衛生洗浄装置。
【発明の詳細な説明】
【技術分野】
【０００１】
本発明の態様は、一般的に、衛生洗浄装置に関し、具体的には洋式腰掛便器に腰掛けた使用者の「おしり」などを水で洗浄する衛生洗浄装置に関する。
【背景技術】
【０００２】
局部洗浄用の洗浄ノズルは、その洗浄ノズルや温水タンクなどの所定の機能部品を取り付けるケーシングから少なくとも一部を外部に露出（進出）した状態で局部に洗浄水を噴射する。そのため、洗浄ノズルには汚水や汚物が付着するおそれがある。これに対して、局部洗浄を行う前や行った後において、洗浄ノズルに付着した汚水や汚物を洗い流し除去する衛生洗浄装置がある。これにより、洗浄ノズルは清潔に保たれている。
【０００３】
しかしながら、洗浄ノズルに付着した汚水や汚物を洗い流した場合でも、トイレ室のような湿潤な環境においては、時間の経過とともに菌が洗浄ノズルに繁殖する場合がある。より具体的には、便器のボウル面などに発生する例えばピンクスライムなどと呼ばれるメチロバクテリウムや、黒かびなどの細菌が洗浄ノズルに付着し、その洗浄ノズルに菌が繁殖するおそれがある。そして、菌が繁殖することにより、例えばバイオフィルムなどと呼ばれるバクテリアおよびその分泌物の集まり（ぬめり、黒色汚れ）が形成されると、前述したような通常のノズル洗浄では、そのバイオフィルムを除去することが困難となる。
【０００４】
これに対して、次亜塩素酸や銀イオンを含む殺菌水により洗浄ノズルを殺菌する殺菌工程を一連の動作の中で実行する装置がある。例えば、旅行等で長期間使用しない場合には細菌の繁殖が激しく、小径の排水管部分などを詰まらせる原因となる場合があるため、銀イオン電解装置の下流側水路全体に銀イオン電解水を通水して満たす銀イオン電解槽装置付人体洗浄装置がある（特許文献１）。特許文献１に記載された銀イオン電解槽装置付人体洗浄装置は、長時間不使用状態が続くことによって銀イオン電解水による細菌の繁殖の抑制力が弱まることを防止するために、定期通水時間ごとに銀イオン電解水の入れ替えを行っている。
【０００５】
また、局部洗浄水は上水または中水であり、ノズル洗浄水は局部洗浄水よりも強い消毒性または殺菌性を示し、ノズル洗浄手段は、上水または中水の性状を変化させてノズル洗浄水を生成するノズル洗浄水生成部を備えた局部洗浄装置がある（特許文献２）。特許文献２に記載された局部洗浄装置によれば、ノズル装置のクリーニングの際に薬液を利用するので、従来の洗浄水のみを浴びせるクリーニングに比べると、汚れを効果的にぬぐい取ることができるだけでなく、殺菌及び除菌効果も十分に期待できる。
【０００６】
また、次亜塩素酸を含む水を生成する電気分解装置および電気分解方法が提案されている（特許文献３）。特許文献３に記載された電気分解装置および電気分解方法によれば、電気分解槽へ流入した塩素イオンを含む流水を加熱した後に電気分解することにより、遊離塩素の発生効率を向上させることができる。
【０００７】
しかしながら、特許文献１に記載された銀イオン電解槽装置付人体洗浄装置において、長時間不使用状態が続くことによって銀イオン電解水による細菌の繁殖の抑制力が弱まる程度は、一般的に残存している菌の量などにより変わる。そのため、特許文献１に記載されたように、人体検知手段が使用者を検知することによって銀イオン電解水を排水し、その後、銀イオン電解装置への給電を停止させた状態で加熱された水を人体洗浄用の吐水口から吐水すると、殺菌力が低下して菌が繁殖している場合がある。そのため、温水洗浄水に菌が混在している場合がある。
【先行技術文献】
【特許文献】
【０００８】
【特許文献１】特開２００１−２７９７４５号公報
【特許文献２】特許第３４８７４４７号公報
【特許文献３】国際公開第９５／３２９２２号パンフレット
【発明の概要】
【発明が解決しようとする課題】
【０００９】
本発明は、かかる課題の認識に基づいてなされたものであり、流路内に生存する細菌をより確実に殺菌しきれいな水を供給することができる、あるいは殺菌水が無駄に排出されることを抑えることができる衛生洗浄装置を提供することを目的とする。
【課題を解決するための手段】
【００１０】
第１の発明は、吐水口を有し、前記吐水口から水を噴射して人体の局部を洗浄するノズルと、前記水を供給する給水手段と、前記給水手段から供給された水を前記吐水口へ導く流路と、前記流路の途中に設けられ、殺菌水を生成可能な殺菌水生成手段と、前記殺菌水生成手段よりも上流側に設けられ、前記殺菌水生成手段へ供給される水を加熱可能な加熱手段と、前記人体を検知する人体検知センサと、前記給水手段、前記殺菌水生成手段、および前記加熱手段の動作を制御する制御部と、を備え、前記制御部は、前記人体検知センサが人体を検知すると、前記給水手段および前記加熱手段を動作させて前記吐水口から前記水を排出する温水準備を実行し、前記殺菌水生成手段よりも下流側の前記流路を前記殺菌水で満たすために必要な時間に基づいて、前記温水準備を開始した後に前記殺菌水生成手段を駆動するタイミングを制御することを特徴とする衛生洗浄装置である。
【００１１】
この衛生洗浄装置によれば、制御部は、人体検知センサが人体を検知すると、給水手段および加熱手段の動作を制御することにより吐水口から水を排出する温水準備を実行する。このとき、殺菌水生成手段において生成した殺菌水を流路に供給し、その殺菌水を流路の内部に所定時間保持することができる。そのため、流路の内部に生存する細菌をより確実に殺菌し、吐水口からきれいな水を噴射することができる。
【００１２】
また、制御部は、殺菌水生成手段よりも下流側の流路に殺菌水を満たすために必要な時間に基づいて、温水準備を開始した後に殺菌水生成手段を駆動するタイミングを制御する。そのため、より少ない量の殺菌水で殺菌水生成手段よりも下流側の流路を満たすことができる。そのため、殺菌水が無駄に排出されることを抑えることができる。さらに、例えば、殺菌水生成手段が電極を有する場合には、その電極の通電時間をより短くすることができるため、電極の寿命を向上することができる。
【００１３】
また、第２の発明は、第１の発明において、前記加熱手段により加熱された水の温度を検知する第１の温度検知手段をさらに備え、前記制御部は、前記第１の温度検知手段により検知された温度が予め設定された温度になると前記殺菌水生成手段の駆動を開始することを特徴とする衛生洗浄装置である。
【００１４】
この衛生洗浄装置によれば、制御部は、第１の温度検知手段により検知された温度が予め設定された温度になった後に、殺菌水生成手段の駆動を開始する。そのため、制御部は、第１の温度検知手段により検知された温度が安定している間に、殺菌水生成手段の駆動を実行する。そのため、第１の温度検知手段により検知された温度が予め設定された温度になった後の動作の時間は決まり、殺菌水生成手段の駆動を停止するタイミングは決まる。これにより、殺菌水生成手段において殺菌水を無駄に生成したり、殺菌水を流路内に無駄に流したり、殺菌水を吐水口から無駄に排出すること抑えることができる。
【００１５】
また、第３の発明は、第１の発明において、前記制御部は、前記温水準備を終了した後に、前記殺菌水生成手段の駆動を開始することを特徴とする衛生洗浄装置である。
【００１６】
この衛生洗浄装置によれば、制御部は、温水準備を終了した後に、殺菌水生成手段の駆動を開始する。そのため、第１の温度検知手段により検知された温度の変動による影響を考慮する必要がないため、殺菌水生成手段や加熱手段などの制御がより容易となる。
【００１７】
また、第４の発明は、第１の発明において、前記制御部は、前記温水準備を開始してから一定時間が経過した後に、前記殺菌水生成手段の駆動を開始することを特徴とする衛生洗浄装置である。
【００１８】
この衛生洗浄装置によれば、制御部は、温水準備を開始してから一定時間が経過した後に、殺菌水生成手段の駆動を開始する。そのため、第１の温度検知手段により検知された温度の変動による影響を考慮する必要がないため、殺菌水生成手段や加熱手段などの制御がより容易となる。
【００１９】
また、第５の発明は、第１の発明において、前記加熱手段に供給される水の温度を検知する第２の温度検知手段をさらに備え、前記制御部は、前記第２の温度検知手段により検知された温度に基づいて、前記殺菌水生成手段よりも下流側の前記流路を前記加熱手段により加熱された水で満たすために必要な適温継続時間を設定し、前記殺菌水生成手段の駆動を停止するタイミングが前記温水準備を終了するタイミングまたは終了する前のタイミングとなるように前記適温継続時間に基づいて前記殺菌水生成手段の駆動を開始することを特徴とする衛生洗浄装置である。
【００２０】
この衛生洗浄装置によれば、制御部は、第２の温度検知手段により検知された温度に基づいて、殺菌水生成手段よりも下流側の流路に加熱手段により加熱された水を満たすために必要な適温継続時間を設定する。そして、制御部は、殺菌水生成手段の駆動を停止するタイミングが温水準備を終了するタイミングまたは終了する前のタイミングとなるように適温継続時間に基づいて殺菌水生成手段の駆動を開始する。
【００２１】
そのため、第２の温度検知手段により検知された温度が異なった場合や、第１の温度検知手段により検知された温度が予め設定された温度になるタイミングが異なった場合などにかかわらず、制御部は、殺菌水の通水時間を確保しつつ、殺菌水生成手段の駆動を停止するタイミングが温水準備を終了するタイミングとなるように、殺菌水生成手段の駆動を開始することができる。そのため、第２の温度検知手段により検知された温度が異なった場合でも、殺菌水生成手段において殺菌水を無駄に生成したり、殺菌水を流路内に無駄に流したり、殺菌水を吐水口から無駄に排出すること抑えることができる。
【００２２】
また、第６の発明は、第１の発明において、前記加熱手段に供給される水の温度を検知する第２の温度検知手段をさらに備え、前記制御部は、前記第２の温度検知手段により検知された温度に基づいて前記殺菌水生成手段よりも下流側の前記流路を前記加熱手段により加熱された水で満たすために必要な適温継続時間を記憶する記憶手段を有し、前記記憶手段に記憶された過去の前記適温継続時間を参照して、前記殺菌水生成手段の駆動を停止するタイミングが前記温水準備を終了するタイミングまたは終了する前のタイミングとなるように前記殺菌水生成手段の駆動を開始することを特徴とする衛生洗浄装置である。
【００２３】
この衛生洗浄装置によれば、制御部は、記憶手段に記憶された過去の適温継続時間を参照して、殺菌水生成手段の駆動を停止するタイミングが温水準備を終了するタイミングまたは終了する前のタイミングとなるように前記殺菌水生成手段の駆動を開始する。これにより、制御部は、過去の適温継続時間を参照できるため、殺菌水生成手段において殺菌水を無駄に生成したり、殺菌水を流路内に無駄に流したり、殺菌水を吐水口から無駄に排出することより抑えることができる。
【００２４】
また、第７の発明は、第１〜第６のいずれか１つの発明において、吐水部を有し、前記吐水部から吐水された水により前記ノズルの表面を洗浄するノズル洗浄手段をさらに備え、前記制御部は、前記吐水部から前記殺菌水を吐水させた後、前記ノズルの前記吐水口のみから前記殺菌水を吐水させて前記温水準備を終了することを特徴とする衛生洗浄装置である。
【００２５】
この衛生洗浄装置によれば、制御部は、吐水部から殺菌水を吐水させた後、吐水口のみから殺菌水を吐水させて温水準備を終了する。そのため、ノズルの胴体を洗浄した際に流れ出る排水は、吐水口から流路内に入ることはない。そして、殺菌水生成手段よりも下流側の流路の末端である吐水口まで殺菌水を満たすことができる。
【００２６】
また、第８の発明は、第１〜第７のいずれか１つの発明において、前記殺菌水生成手段は、電解槽であり、前記殺菌水は、前記電解槽により生成される次亜塩素酸を含む水であることを特徴とする衛生洗浄装置である。
【００２７】
この衛生洗浄装置によれば、次亜塩素酸を含む水は、殺菌力において優れており、衛生洗浄装置などの水周りに存在する多くの菌を数秒で殺菌することができる。そのため、次亜塩素酸を含む水を流路の内部に数秒間保持することにより、流路の内部を殺菌することができる。また、温水準備により水や流路が温められた状態において次亜塩素酸を含む水を電解槽で生成すると、次亜塩素酸の生成効率が向上する。そのため、次亜塩素酸の濃度を高めることができ、殺菌力をより高めることができる。
【発明の効果】
【００２８】
本発明の態様によれば、流路内に生存する細菌をより確実に殺菌しきれいな水を供給することができる、あるいは殺菌水が無駄に排出されることを抑えることができる衛生洗浄装置が提供される。
【図面の簡単な説明】
【００２９】
【図１】本発明の実施の形態にかかる衛生洗浄装置を備えたトイレ装置を表す斜視模式図である。
【図２】本実施形態にかかる衛生洗浄装置の要部構成を表すブロック図である。
【図３】本実施形態にかかる衛生洗浄装置の水路系の要部構成の具体例を例示するブロック図である。
【図４】本実施形態の電解槽ユニットの具体例を例示する断面模式図である。
【図５】本実施形態のノズルユニットの具体例を例示する斜視模式図である。
【図６】本実施形態にかかる衛生洗浄装置の温水準備の動作を例示する概念模式図である。
【図７】本実施形態にかかる衛生洗浄装置の温水準備の他の動作を例示する概念模式図である。
【図８】本実施形態にかかる衛生洗浄装置の動作と流路の状態との概略を表す概念模式図である。
【図９】本実施形態の温水準備の具体例を例示する概念模式図である。
【図１０】入水温度と温水準備における適温継続時間との対応関係を表す対応表である。
【図１１】本実施形態にかかる衛生洗浄装置の動作の具体例を例示するタイミングチャートである。
【発明を実施するための形態】
【００３０】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置を備えたトイレ装置を表す斜視模式図である。  
また、図２は、本実施形態にかかる衛生洗浄装置の要部構成を表すブロック図である。  なお、図２は、水路系と電気系の要部構成を併せて表している。
【００３１】
図１に表したトイレ装置は、洋式腰掛便器（以下説明の便宜上、単に「便器」と称する）８００と、その上に設けられた衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００３２】
ケーシング４００の内部には、便座２００に座った使用者の「おしり」などの洗浄を実現する局部洗浄機能部などが内蔵されている。また、例えばケーシング４００には、使用者が便座２００に座ったことを検知する着座検知センサ（人体検知手段）４０４が設けられている。着座検知センサ４０４が便座２００に座った使用者を検知している場合において、使用者が例えばリモコンなどの操作部５００を操作すると、洗浄ノズル（以下説明の便宜上、単に「ノズル」と称する）４７３を便器８００のボウル８０１内に進出させることができる。なお、図１に表した衛生洗浄装置１００では、ノズル４７３がボウル８０１内に進出した状態を表している。
【００３３】
ノズル４７３の先端部には、ひとつあるいは複数の吐水口４７４が設けられている。そして、ノズル４７３は、その先端部に設けられた吐水口４７４から水を噴射して、便座２００に座った使用者の「おしり」などを洗浄することができる。なお、本願明細書において「水」という場合には、冷水のみならず、加熱されたお湯も含むものとする。
【００３４】
より具体的に説明すると、本実施形態にかかる衛生洗浄装置１００は、図２に表したように、水道や貯水タンクなどの給水源１０から供給された水をノズル４７３の吐水口４７４に導く流路２０を有する。流路２０の上流側には、電磁弁４３１が設けられている。電磁弁４３１は、開閉可能な電磁バルブであり、ケーシング４００の内部に設けられた制御部４０５からの指令に基づいて水の供給を制御する。制御部４０５は、メモリ（記憶手段）４０５ａを有する。メモリ４０５ａについては、後に詳述する。なお、流路２０は、電磁弁４３１から下流側の２次側とする。
【００３５】
電磁弁４３１の下流には、温水ヒータ４４１が設けられている。温水ヒータ４４１は、供給された水を加熱し、所定の温水にする。温水ヒータ４４１の上流側には入水サーミスタ（第２の温度検知手段）４３３（図３参照）が設けられ、温水ヒータ４４１の下流側には温水サーミスタ（第１の温度検知手段）４４３（図３参照）が設けられている。なお、温水温度については、例えば、使用者が操作部５００を操作することにより設定することができる。  
温水ヒータ４４１の下流には、殺菌水を生成可能な電解槽ユニット（殺菌水生成手段）４５０が設けられている。この電解槽ユニット４５０については、後に詳述する。
【００３６】
電解槽ユニット４５０の下流には、水勢（流量）の調整を行う流量切替弁４７１と、ノズル４７３やノズル洗浄室（ノズル洗浄手段）４７８への給水の開閉や切替を行う流路切替弁４７２と、が設けられている。なお、流量切替弁４７１および流路切替弁４７２は、図３に関して後述する具体例のように、１つのユニットとして設けられていてもよい。続いて、流量切替弁４７１および流路切替弁４７２の下流には、ノズル４７３が設けられている。
【００３７】
ノズル４７３は、ノズルモータ４７６からの駆動力を受け、便器８００のボウル８０１内に進出したり後退することができる。つまり、ノズルモータ４７６は、制御部４０５からの指令に基づいてノズル４７３を進退させることができる。  
そして、制御部４０５は、電源回路４０１から電力を供給され、人体検知センサ４０３や、着座検知センサ４０４や、操作部５００などからの信号に基づいて、電磁弁４３１や、温水ヒータ４４１や、電解槽ユニット４５０や、流量切替弁４７１や流路切替弁４７２や、ノズルモータ４７６の動作を制御することができる。
【００３８】
なお、人体検知センサ４０３は、図１に表したように、ケーシング４００の上面に形成された凹設部４０９に埋め込まれるように設けられ、便座２００に近づいた使用者（人体）を検知することができる。また、便蓋３００の後部には透過窓３１０が設けられている。そのため、便蓋３００が閉じた状態において、人体検知センサ４０３は、透過窓３１０を介して使用者の存在を検知することができる。そして、例えば、人体検知センサ４０３が使用者を検知すると、制御部４０５は、人体検知センサ４０３の検知結果に基づいて便蓋３００を自動的に開くことができる。
【００３９】
また、ケーシング４００には、便座２００に座った使用者の「おしり」などに向けて温風を吹き付けて乾燥させる「温風乾燥機能」や「脱臭ユニット」や「室内暖房ユニット」などの各種の機構が適宜設けられていてもよい。この際、ケーシング４００の側面には、脱臭ユニットからの排気口４０７及び室内暖房ユニットからの排出口４０８が適宜設けられる。ただし、本発明においては、衛生洗浄機能部やその他の付加機能部は必ずしも設けなくてもよい。
【００４０】
図３は、本実施形態にかかる衛生洗浄装置の水路系の要部構成の具体例を例示するブロック図である。  
また、図４は、本実施形態の電解槽ユニットの具体例を例示する断面模式図である。  
また、図５は、本実施形態のノズルユニットの具体例を例示する斜視模式図である。
【００４１】
図３に表したように、給水源１０から供給された水は、まず、分岐金具４１０に導かれる。分岐金具４１０に導かれた水は、連結ホース４２０および図示しない便器洗浄用のバルブユニットに分配される。但し、本実施形態にかかる衛生洗浄装置１００を備えたトイレ装置は、いわゆる「水道直圧式」に限定されるわけではなく、いわゆる「ロータンク式」であってもよい。そのため、トイレ装置が「ロータンク式」である場合には、分岐金具４１０に導かれた水は、便器洗浄用のバルブユニットの代わりに、図示しないロータンクに導かれる。
【００４２】
続いて、連結ホース４２０に供給された水は、バルブユニット（給水手段）４３０に導かれる。バルブユニット４３０は、電磁弁４３１と、調圧弁４３２と、入水サーミスタ４３３と、安全弁４３４と、水抜栓４３５と、を有する。調圧弁４３２は、給水圧が高い場合に、所定の圧力範囲に調整する役割を有する。入水サーミスタ４３３は、熱交換器ユニット４４０の内部に供給される水の温度を検知し、その水温の情報を制御部４０５へ出力する。安全弁４３４は、流路２０の圧力が上昇した時に開いて、水を便器８００のボウル８０１に排出する。安全弁４３４を設けることにより、例えば調圧弁４３２の故障などによりその２次側（下流側）の流路２０の圧力が上昇した場合でも、衛生洗浄装置１００の内部に漏水が生ずることを防止できる。また、水抜栓４３５は、流路２０内の水が凍結するおそれがあるときなどに使用され、流路２０内の水を排出できる。なお、電磁弁４３１は、前述した如くである。
【００４３】
続いて、バルブユニット４３０に供給された水は、熱交換器ユニット４４０に導かれる。熱交換器ユニット（加熱手段）４４０は、温水ヒータ４４１と、バキュームブレーカ４４２と、温水サーミスタ４４３と、を有する。バキュームブレーカ４４２は、例えばバルブユニット４３０に負圧が発生した場合などにおいて、ノズル４７３から汚水が逆流することを防止する。あるいは、バキュームブレーカ４４２は、流路２０の水抜きの際に外部から空気を取り込んで、熱交換器ユニット４４０とノズルユニット４７０との間の流路２０の水抜きを促進させる。そして、バキュームブレーカ４４２からの水は、便器８００のボウル８０１に排出される。
【００４４】
温水サーミスタ４４３は、温水ヒータ４４１により加熱された水の温度を検知し、その水温の情報を制御部４０５へ出力する。温水ヒータ４４１としては、例えば、シーズヒータやセラミックヒータなどが挙げられる。なお、熱交換器ユニット４４０に供給される水を所定の温度まで加熱するための温水ヒータ４４１への通電制御は、入水サーミスタ４３３にて検知される熱交換器ユニット４４０への入水の温度と、温水サーミスタ４４３にて検知される加熱された温水の温度と、の情報を制御部４０５が取り込むことによって、フィードフォワード制御とフィードバック制御の組合せにて行われる。
【００４５】
続いて、熱交換器ユニット４４０に供給され、所定温度に加熱された水は、電解槽ユニット４５０に導かれる。電解槽ユニット４５０は、図１および図２に関して前述したように、殺菌水を生成することができる。ここで、本実施形態の電解槽ユニット４５０について、図面を参照しつつ説明する。
【００４６】
電解槽ユニット４５０は、図４に表したように、その内部に陽極板４５１および陰極板４５２を有し、制御部４０５からの通電の制御によって、内部を流れる水道水を電気分解できる。ここで、水道水は、塩素イオンを含んでいる。この塩素イオンは、水源（例えば、地下水や、ダムの水や、河川などの水）に食塩（ＮａＣｌ）や塩化カルシウム（ＣａＣｌ２）として含まれている。そのため、その塩素イオンを電気分解することにより次亜塩素酸が生成される。その結果、電解槽ユニット４５０において電気分解された水は、次亜塩素酸を含む液に変化する。
【００４７】
次亜塩素酸は、殺菌成分として機能し、その次亜塩素酸を含む溶液すなわち殺菌水は、アンモニアなどによる汚れを効率的に除去あるいは分解したり、殺菌することができる。ここで、本願明細書において「殺菌水」とは、次亜塩素酸などの殺菌成分を水道水（単に「水」ともいう）よりも多く含む溶液をいうものとする。
【００４８】
このように、熱交換器ユニット４４０から供給された水道水は、電解槽ユニット４５０において電気分解されて次亜塩素酸を含む溶液となり、ノズルユニット４７０に導かれる。ノズルユニット４７０は、図３に表したように、流量切替弁４７１と、流路切替弁４７２と、ノズル４７３と、を有する。そして、流路切替弁４７２は、電解槽ユニット４５０から供給された殺菌水をノズル４７３の吐水口４７４あるいはノズル洗浄室４７８（図２および図５参照）に導くことができる。ここで、ノズルユニット４７０について、図面を参照しつつ説明する。
【００４９】
本実施形態のノズルユニット４７０は、図５に表したように、基台としての取付台４７５と、取付台４７５に支持されたノズル４７３と、ノズル４７３を移動させるノズルモータ４７６と、を有する。ノズル４７３は、図５に表した矢印Ａのように、ベルトなどの伝動部材４７７を介してノズルモータ４７６から伝達される駆動力により、取付台４７５に対して摺動自在に設けられている。すなわち、ノズル４７３は、ノズル４７３自身の軸方向（進退方向）に直進移動することができる。そして、ノズル４７３は、ケーシング４００および取付台４７５から進退自在に移動できる。
【００５０】
また、本実施形態のノズルユニット４７０には、ノズル洗浄室４７８が設けられている。ノズル洗浄室４７８は、取付台４７５に対して固定され、その内部に設けられた吐水部４７９から殺菌水あるいは水を噴射することにより、ノズル４７３の外周表面（胴体）を殺菌あるいは洗浄することができる。すなわち、制御部４０５が電解槽ユニット４５０の陽極板４５１および陰極板４５２に通電することにより殺菌水を生成する場合には、ノズル４７３の胴体は、吐水部４７９から噴射される殺菌水により殺菌される。一方で、制御部４０５が電解槽ユニット４５０の陽極板４５１および陰極板４５２に通電しない場合には、ノズル４７３の胴体は、吐水部４７９から噴射される水により物理的に洗浄される。
【００５１】
より具体的には、ノズル４７３がケーシング４００に収納された状態において、ノズル４７３の吐水口４７４の部分はノズル洗浄室４７８の中にほぼ収容されている。そのため、ノズル洗浄室４７８は、その内部に設けられた吐水部４７９から殺菌水あるいは水を噴射することにより、収納された状態のノズル４７３の吐水口４７４の部分を殺菌あるいは洗浄することができる。また、ノズル洗浄室４７８は、ノズル４７３の進退時において吐水部４７９から水あるいは殺菌水を噴射することにより、吐水口４７４の部分だけではなく他の部分の外周表面を殺菌あるいは洗浄することができる。
【００５２】
また、本実施形態のノズル４７３は、ノズル４７３がケーシング４００に収納された状態において、ノズル４７３自身が有する吐水口４７４から殺菌水あるいは水を吐水することにより吐水口４７４の部分を殺菌あるいは洗浄することができる。さらに、ノズル４７３がケーシング４００に収納された状態では、ノズル４７３の吐水口４７４の部分はノズル洗浄室４７８の中にほぼ収容されているため、ノズル４７３の吐水口４７４から吐水された殺菌水あるいは水は、ノズル洗浄室４７８の内壁により反射して吐水口４７４の部分にかかる。そのため、ノズル４７３の吐水口４７４の部分は、ノズル洗浄室４７８の内壁で反射した殺菌水あるいは水によっても殺菌あるいは洗浄される。
【００５３】
このように、ノズル４７３の外周表面や吐水口４７４の部分は、電解槽ユニット４５０において生成された殺菌水により殺菌されるが、例えばカビなどの中には、数秒間の殺菌の工程では殺菌されずに一部が流路２０の内部に生存する場合がある。また、殺菌の工程を実行した後に、使用者が衛生洗浄装置１００をしばらく使用しないと、それらのカビは繁殖する場合がある。
【００５４】
これに対して、本実施形態にかかる衛生洗浄装置１００は、電解槽ユニット４５０において生成した殺菌水を流路２０に供給し、その殺菌水を流路２０の内部に所定時間保持することができる。その際には、流路切替弁４７２を閉じることにより、流路２０の内部に殺菌水をより保持しやすい。特に、ノズル４７３の吐水口４７４に至る流路が汚染されやすい流路なので、本実施形態においては、効果的である。また、殺菌水を流路２０の内部に保持する際には、殺菌水を流路２０の内部に投入する前に流路２０の内部に残っている水をすべて置換させた後に行うことが望ましい。また、本実施形態にかかる衛生洗浄装置１００は、殺菌水を流路２０の内部に所定時間保持した後に、その殺菌水を流路２０の外部に排水することができる。
【００５５】
これによれば、衛生洗浄装置１００は、殺菌水を流路２０の内部に所定時間保持するため、流路２０の内部に生存する細菌をより確実に殺菌し、吐水口４７４からきれいな水を噴射することができる。これは、流路２０が殺菌力のより弱い抗菌性の金属により形成されている場合において有効な手段の１つである。また、衛生洗浄装置１００は、殺菌水を流路２０の内部に所定時間保持した後に、その殺菌水を流路２０の外部に排水するため、殺菌水の殺菌力が経時変化により低下した場合でも、その殺菌水が細菌の栄養源となることを抑制することができる。
【００５６】
また、本実施形態にかかる衛生洗浄装置１００の制御部４０５は、着座検知センサ４０４が人体を検知した後、電磁弁４３１を開き、温水ヒータ４４１を駆動させ、吐水口４７４から水を排出させる温水準備を実行する。さらに、制御部４０５は、電解槽ユニット４５０よりも下流側の流路２０に殺菌水を満たすために必要な時間に基づいて、温水準備を開始した後に電解槽ユニット４５０を駆動させるタイミング、すなわち陽極板４５１および陰極板４５２に通電するタイミングを制御する。
【００５７】
これによれば、より少ない量の殺菌水で電解槽ユニット４５０よりも下流側の流路２０を満たすことができる。そのため、殺菌水が無駄に排出されることを抑えることができる。また、陽極板４５１および陰極板４５２の通電時間をより短くすることができるため、陽極板４５１および陰極板４５２の寿命を向上することができる。さらに、陽極板４５１および陰極板４５２の通電時間をより短くすることができるため、例えばスケールなどと呼ばれる炭酸カルシウムおよび炭酸マグネシウムなどの炭酸塩が生成されることを抑えることができる。
【００５８】
これについて、さらに詳細に説明する。水道水を電気分解すると、水酸化カルシウムおよび水酸化マグネシウムが生成される。生成された水酸化カルシウムおよび水酸化マグネシウムは、水中の二酸化炭素と反応すると、スケールなどと呼ばれる炭酸塩へと変化する。そうすると、発生したスケールは、電解槽ユニット４５０の陽極板４５１および陰極板４５２の表面に付着する。そのため、陽極板４５１および陰極板４５２の不導体化が、部分的あるいは全体的に生ずるおそれがある。これにより、次亜塩素酸の生成効率が低下するおそれがある。
【００５９】
これに対して、本実施形態では、陽極板４５１および陰極板４５２の通電時間をより短くすることができるため、スケールの発生を抑え、陽極板４５１および陰極板４５２が不導体化することや、次亜塩素酸の生成効率が低下することを抑えることができる。以下、これらの動作について、図面を参照しつつ説明する。
【００６０】
図６は、本実施形態にかかる衛生洗浄装置の温水準備の動作を例示する概念模式図である。  
まず、図６（ａ）に例示した動作について説明する。  
制御部４０５は、着座検知センサ４０４が人体を検知すると、電磁弁４３１を開き、温水ヒータ４４１を駆動させ、吐水口４７４から水を排出させる温水準備を開始する（タイミングｔ１１）。このとき、制御部４０５は、電解槽ユニット４５０には通電していない。そのため、上水が流路２０内を流れ吐水口４７４から排出される。温水準備の動作は、流路２０内の水を吐水口４７４から排出し、熱交換器ユニット４４０よりも下流側の流路２０内の水を熱交換器ユニット４４０において加熱された水に入れ替える動作である。これにより、熱交換器ユニット４４０よりも下流側の流路２０を温めることができる。そのため、便座２００に座った使用者の「おしり」などの洗浄するときに、冷水が使用者の「おしり」などに噴射されることを防止することができる。
【００６１】
図３に関して前述したように、温水サーミスタ４４３は、温水ヒータ４４１により加熱された水の温度を検知し、その水温の情報を制御部４０５へ出力する。また、使用者は、操作部５００を操作することにより温水温度を設定することができる。そして、制御部４０５は、温水サーミスタ４４３により検知された温度が設定温度（適温）になったことを検知（適温検知）することができる（タイミングｔ１２）。つまり、制御部４０５が温水準備を開始してから適温検知するまでの間において、温水サーミスタ４４３により検知された温度は上昇する（タイミングｔ１１〜ｔ１２）。
【００６２】
続いて、制御部４０５は、適温検知した後に、電解槽ユニット４５０よりも下流側の流路２０に殺菌水を満たすために必要な時間に基づいて、電解槽ユニット４５０への通電を開始する（タイミングｔ１３）。このタイミングは、例えば温水準備を開始してから約９秒後である。
【００６３】
続いて、制御部４０５は、電解槽ユニット４５０への通電を停止し、温水準備を終了する（タイミングｔ１４）。制御部４０５が温水準備を終了するタイミングは、例えば、制御部４０５が適温検知してから所定時間が経過したタイミングや、入水サーミスタ４３３により検知された温度、温水ヒータ４４１の出力、および流路２０内の流量の少なくともいずれかに基づいて適温までの昇温時間を算定することにより設定されたタイミングなどである。このタイミングは、例えば温水準備を開始してから約１２秒後である。これにより、電解槽ユニット４５０よりも下流側の流路２０は、電解槽ユニット４５０により生成された殺菌水で満たされる。なお、制御部４０５が温水準備を終了するタイミングについては、後に詳述する。
【００６４】
図６（ａ）に表した動作によれば、制御部４０５は、適温検知した後、すなわち温水サーミスタ４４３により検知された温度が安定している間に、電解槽ユニット４５０への通電を実行する。そのため、制御部４０５が適温検知した後の動作の時間は決まり、電解槽ユニット４５０への通電を停止するタイミングは決まる。これにより、電解槽ユニット４５０において殺菌水を無駄に生成したり、殺菌水を流路２０内に無駄に流したり、殺菌水を吐水口４７４から無駄に排出すること抑えることができる。
【００６５】
次に、図６（ｂ）に例示した動作について説明する。  
図６（ｂ）に表したタイミングｔ２１〜ｔ２２の動作は、図６（ａ）に関して前述したタイミングｔ１１〜ｔ１２の動作と同様である。続いて、制御部４０５は、温水準備を終了する（タイミングｔ２３）。制御部４０５が温水準備を終了するタイミングは、図６（ａ）に関して前述したタイミングと同様である。
【００６６】
続いて、制御部４０５は、温水準備を終了した後に、電解槽ユニット４５０への通電を開始する（タイミングｔ２３）。なお、図６（ｂ）に表した動作では、制御部４０５は、温水準備を開始してから１２秒後に電解槽ユニット４５０への通電を開始しているが、これだけに限定されるわけではない。例えば、制御部４０５は、温水準備を開始してから１１秒後に温水準備を終了した場合には、そのタイミングで電解槽ユニット４５０への通電を開始してもよい。続いて、制御部４０５は、電解槽ユニット４５０よりも下流側の流路２０に殺菌水を満たすために必要な時間に基づいて、電解槽ユニット４５０への通電を停止する（タイミングｔ２４）。これにより、電解槽ユニット４５０よりも下流側の流路２０は、電解槽ユニット４５０により生成された殺菌水で満たされる。
【００６７】
図６（ｂ）に表した動作によれば、制御部４０５は、温水準備を終了した後に、電解槽ユニット４５０への通電を実行する。これにより、温水サーミスタ４４３により検知された温度の変動による影響を考慮する必要がないため、電解槽ユニット４５０や温水ヒータ４４１などの制御がより容易となる。
【００６８】
次に、図６（ｃ）に例示した動作について説明する。  
図６（ｃ）に表したタイミングｔ３１〜ｔ３２の動作は、図６（ａ）に関して前述したタイミングｔ１１〜ｔ１２の動作と同様である。続いて、制御部４０５は、温水準備を開始してから一定時間（図６（ｃ）に表した動作では７秒）が経過した後に、電解槽ユニット４５０への通電を強制的に開始する（タイミングｔ３３）。続いて、制御部４０５は、温水準備を終了する（タイミングｔ３４）。これにより、電解槽ユニット４５０よりも下流側の流路２０は、電解槽ユニット４５０により生成された殺菌水で満たされる。制御部４０５が温水準備を終了するタイミングは、図６（ａ）に関して前述したタイミングと同様である。
【００６９】
図６（ｃ）に表した動作によれば、制御部４０５は、温水準備を開始してから一定時間が経過した後に、電解槽ユニット４５０への通電を強制的に開始する。そのため、図６（ｂ）に表した動作と同様に、温水サーミスタ４４３により検知された温度の変動による影響を考慮する必要がないため、電解槽ユニット４５０や温水ヒータ４４１などの制御がより容易となる。
【００７０】
図７は、本実施形態にかかる衛生洗浄装置の温水準備の他の動作を例示する概念模式図である。  
図７に表したタイミングｔ４１〜ｔ４２の動作は、図６（ａ）に関して前述したタイミングｔ１１〜ｔ１２の動作と同様である。続いて、制御部４０５は、適温検知した後に、電解槽ユニット４５０よりも下流側の流路２０に殺菌水を満たすために必要な時間に基づいて、電解槽ユニット４５０への通電を開始する（タイミングｔ４３）。
【００７１】
続いて、温水サーミスタ４４３により検知された温度が設定温度をよりも低くなった場合には、制御部４０５は、電解槽ユニット４５０への通電を停止する（タイミングｔ４４）。そして、温水サーミスタ４４３により検知された温度が設定温度になると、制御部４０５は、電解槽ユニット４５０よりも下流側の流路２０に殺菌水を満たすために必要な時間に基づいて、電解槽ユニット４５０への通電を再び開始する（タイミングｔ４５）。続いて、再び、温水サーミスタ４４３により検知された温度が設定温度をよりも低くなった場合と設定温度になった場合とについても同様である（タイミングｔ４６、ｔ４７、ｔ４８）。
【００７２】
続いて、温水サーミスタ４４３により検知された温度が設定温度になると、制御部４０５は、電解槽ユニット４５０よりも下流側の流路２０に殺菌水を満たすために必要な時間に基づいて、電解槽ユニット４５０への通電を再び開始する（タイミングｔ４９）。続いて、制御部４０５は、電解槽ユニット４５０への通電を停止し、温水準備を終了する（タイミングｔ５０）。
【００７３】
これによれば、図７に表したようないわゆる「ハンチング」が生じた場合でも、制御部４０５は、電解槽ユニット４５０よりも下流側の流路２０に殺菌水を満たすために必要な時間を確保することができる。つまり、制御部４０５は、ハンチングが生じない場合における電解槽ユニット４５０の積算通電時間（例えば３秒）よりも長い積算通電時間（例えば３秒よりも長い時間）を確保する。そのため、ハンチングが生じた場合でも、電解槽ユニット４５０よりも下流側の流路２０は、電解槽ユニット４５０により生成された殺菌水で満たされる。
【００７４】
図８は、本実施形態にかかる衛生洗浄装置の動作と流路の状態との概略を表す概念模式図である。  
なお、図８に表した流路の状態は、電解槽ユニット４５０よりも下流側の流路２０の内部の状態を表している。  
また、ここでは、ノズル４７３が複数の吐水口４７４を有する場合を例に挙げて説明する。
【００７５】
まず、制御部４０５は、着座検知センサ４０４が人体を検知すると、電磁弁４３１を開き、温水ヒータ４４１を駆動させ、吐水口４７４から水を排出させる温水準備を開始する（タイミングｔ６１）。このとき、制御部４０５は、電解槽ユニット４５０には通電していない。そのため、上水が流路２０内を流れ吐水口４７４から排出される。
【００７６】
続いて、制御部４０５は、電解槽ユニット４５０への通電を開始し、電解槽ユニット４５０において殺菌水を生成させる（タイミングｔ６２）。そして、制御部４０５は、流量切替弁４７１および流路切替弁４７２を制御することにより、複数の全ての吐水口４７４から殺菌水を吐水する。このとき、殺菌水が吐水口４７４から吐水されているため、電解槽ユニット４５０よりも下流側の流路２０の内部および吐水口４７４の部分は、殺菌水により殺菌される。
【００７７】
続いて、制御部４０５は、電解槽ユニット４５０への通電を停止し、温水準備を終了する（タイミングｔ６３）。この温水準備の具体例については、後に詳述する。なお、温水準備の実行時間は、例えば約１０〜１５秒程度である。
【００７８】
続いて、制御部４０５は、電磁弁４３１を閉じたまま、操作部５００に設けられた図示しない「おしり洗浄スイッチ」が使用者により押されるまで待機する（タイミングｔ６３〜ｔ６４）。このとき、制御部４０５は、電磁弁４３１を閉じ、流路切替弁４７２を閉じているため、電解槽ユニット４５０において生成された殺菌水を電解槽ユニット４５０よりも下流側の流路２０の内部に所定時間保持することができる。これにより、使用者が「おしり洗浄」を実行する前において、電解槽ユニット４５０よりも下流側の流路２０の内部を殺菌することができる。
【００７９】
なお、ここにいう所定時間とは、電解槽ユニット４５０よりも下流側の流路２０の内部に殺菌水が保持されている時間、すなわち、制御部４０５が電磁弁を閉じ、流路切替弁４７２を閉じてから「おしり洗浄スイッチ」が使用者により押されるまでの時間をいう。そのため、ここにいう所定時間は、例えば使用者の用便行為の時間などにより変化する。
【００８０】
続いて、使用者が操作部５００に設けられた図示しない「おしり洗浄スイッチ」を押すと（タイミングｔ６４）、制御部４０５は、局部洗浄を実行する信号を受信する。そして、制御部４０５は、まず上水により「前洗浄」を実行する（タイミングｔ６４〜ｔ６５）。より具体的には、制御部４０５は、流量切替弁４７１および流路切替弁４７２を制御することにより、複数の全ての吐水口４７４から上水を吐水し、それらの吐水口４７４を洗浄する。このときには、制御部４０５は、電解槽ユニット４５０には通電せず殺菌水を生成させない。そのため、複数の吐水口４７４の部分は、吐水口４７４自身が吐水した上水（ノズル洗浄室４７８の内壁で反射した上水を含む）により物理的に洗浄される。
【００８１】
言い換えれば、流路２０の内部に保持されていた殺菌水は、新たに供給される上水により吐水口４７４から排水される。つまり、流路２０の内部に保持されていた殺菌水は、新たに供給される上水により置換され、排水される。なお、上水による前洗浄の実行時間は、例えば約２〜４秒程度である。
【００８２】
続いて、制御部４０５は、流量切替弁４７１および流路切替弁４７２を制御することによりノズル洗浄室４７８に設けられた吐水部４７９から上水を噴射しつつ、ノズル４７３をボウル８０１内に進出させる。そのため、ノズル４７３の胴体は、吐水部４７９から噴射された上水により洗浄される（タイミングｔ６５〜ｔ６６）。このときにも、制御部４０５は、電解槽ユニット４５０には通電せず殺菌水を生成させない。そのため、ノズル４７３の胴体は、吐水部４７９から噴射された上水により物理的に洗浄される。
【００８３】
このときにも、吐水部４７９に接続された流路２０の内部に保持されていた殺菌水は、新たに供給される上水により置換され、排水される。なお、上水による胴体洗浄の実行時間は、例えば約３秒程度である。
【００８４】
続いて、制御部４０５は、流量切替弁４７１および流路切替弁４７２を制御することにより「おしり洗浄」用の吐水口４７４から上水を噴射し、便座２００に着座した使用者の「おしり」を洗浄する（タイミングｔ６６〜ｔ６７）。このとき、制御部４０５は、電解槽ユニット４５０には通電せず殺菌水を生成させない。また、流路２０の内部に保持されていた殺菌水は、タイミングｔ６４〜ｔ６６において、新たに供給される上水により置換され、排水されている。そのため、殺菌水が使用者の局部に噴射されることはない。
【００８５】
また、「おしり洗浄」を実行する前の温水準備および待機のときに、電解槽ユニット４５０よりも下流側の流路２０の内部は、殺菌水により殺菌されている（タイミングｔ６２〜ｔ６４）。そのため、きれいな水が吐水口４７４から噴射される。
【００８６】
続いて、使用者が操作部５００により図示しない「止スイッチ」を押すと（タイミングｔ６７）、制御部４０５は、流量切替弁４７１および流路切替弁４７２を制御することによりノズル洗浄室４７８に設けられた吐水部４７９から殺菌水を噴射しつつ、ノズル４７３をケーシング４００内に収納する（タイミングｔ６７〜ｔ６８）。つまり、制御部４０５は、電解槽ユニット４５０への通電を開始し殺菌水を生成させ、吐水部４７９から噴射された殺菌水によりノズル４７３の「胴体洗浄」を行う（タイミングｔ６７〜ｔ６８）。これにより、電解槽ユニット４５０よりも下流側の流路２０の内部およびノズル４７３の外周表面は、殺菌水により殺菌される。なお、殺菌水による胴体洗浄の実行時間は、例えば約３秒程度である。
【００８７】
続いて、制御部４０５は、流量切替弁４７１および流路切替弁４７２を制御することによりノズル洗浄室４７８に設けられた吐水部４７９から殺菌水を噴射しつつ、ノズル４７３をボウル８０１内に進出させ（タイミングｔ６８〜ｔ６９）、その後、ノズル４７３をケーシング４００内に収納する（タイミングｔ６９〜ｔ７０）。これにより、吐水口４７４が設けられたノズル４７３の先端部およびノズル４７３の外周表面は、殺菌水により殺菌される。このように、制御部４０５は、吐水部４７９から殺菌水を噴射しつつ、ノズル４７３を再び進退させることにより、ノズル４７３の先端部および胴体をより確実に殺菌することができる。なお、ノズル４７３を進出および後退させる時間は、例えばそれぞれ約１秒程度である。
【００８８】
続いて、ノズル４７３がケーシング４００に収納された状態において、制御部４０５は、流量切替弁４７１および流路切替弁４７２を制御することにより、複数の全ての吐水口４７４から殺菌水を吐水し、それらの吐水口４７４の「後洗浄」を実行する（タイミングｔ７０〜ｔ７１）。つまり、制御部４０５は、電解槽ユニット４５０に通電して殺菌水を生成させ、吐水口４７４から噴射された殺菌水により吐水口４７４の部分の後洗浄を行う（タイミングｔ７０〜ｔ７１）。
【００８９】
これにより、電解槽ユニット４５０よりも下流側の流路２０の内部および吐水口４７４の部分は、殺菌水により殺菌される。また、ノズル４７３の胴体を殺菌水により殺菌・洗浄（タイミングｔ６７〜ｔ７０）した後に、吐水口４７４からのみ殺菌水を吐水（タイミングｔ７０〜ｔ７１）している。そのため、ノズル４７３の胴体を殺菌・洗浄した際に流れ出る排水は、吐水口４７４から流路２０内に入ることはない。そして、電解槽ユニット４５０よりも下流側の流路２０の末端である吐水口４７４まで殺菌水を満たすことができる。なお、殺菌水による後洗浄の実行時間は、例えば約３秒程度である。
【００９０】
続いて、制御部４０５は、電磁弁４３１を閉じ、その後、流路切替弁４７２を閉じて、着座検知センサ４０４が人体を検知しなくなってから５秒が経過するまで待機する（タイミングｔ７１〜ｔ７２）。このとき、制御部４０５は、電磁弁４３１を閉じ、流路切替弁４７２を閉じているため、電解槽ユニット４５０において生成した殺菌水を電解槽ユニット４５０よりも下流側の流路２０の内部に所定時間保持することができる。これにより、使用者が「おしり洗浄」を実行した後において、流路２０の内部を殺菌することができる。
【００９１】
なお、ここにいう所定時間とは、電解槽ユニット４５０よりも下流側の流路２０の内部に殺菌水が保持されている時間、すなわち、制御部４０５が電磁弁を閉じ、流路切替弁４７２を閉じてから使用者の離座５秒後までの時間をいう。ここで、「使用者の離座５秒後まで」とは、着座検知センサ４０４が人体を検知しなくなってから５秒が経過するまでをいう。そのため、ここにいう所定時間は、例えば使用者の清拭動作や立位動作などの時間により変化する。
【００９２】
続いて、着座検知センサ４０４が人体を検知しなくなってから５秒が経過すると、制御部４０５は、「水抜き」を行う（タイミングｔ７２〜ｔ７３）。つまり、制御部４０５は、流路２０の内部の殺菌水を抜き、流路２０の内部を空にする。この「水抜き」の実行時間は、例えば約３０秒程度である。このように、本実施形態にかかる衛生洗浄装置１００は、流路２０の内部に殺菌水を所定時間保持した後に、流路２０の内部の殺菌水を抜き、流路２０の内部を空にするため、殺菌水の殺菌力が経時変化により低下した場合でも、その殺菌水が細菌の栄養源となることを抑制することができる。
【００９３】
また、本実施形態の制御部４０５は、ノズル４７３を洗浄する洗浄工程を実行した後に連続して、流路２０の内部に殺菌水を所定時間保持する。ここで、本願明細書において、ノズルの「洗浄工程」とは、殺菌水による前洗浄、殺菌水による胴体洗浄、および殺菌水による後洗浄の少なくともいずれかをいう。これにより、ノズル４７３の洗浄工程を実行した後に、じっくりと流路２０の内部を殺菌することができる。そのため、流路２０の内部に生存する細菌をより確実に殺菌し、吐水口４７４からきれいな水を噴射することができる。
【００９４】
次に、本実施形態の温水準備の具体例について、図面を参照しつつ説明する。  
図９は、本実施形態の温水準備の具体例を例示する概念模式図である。  
また、図１０は、入水温度と温水準備における適温継続時間との対応関係を表す対応表である。  
なお、図９は、図８に表した概念模式図と同様に、電解槽ユニット４５０よりも下流側の流路２０の内部の状態を表している。
【００９５】
本具体例では、温水準備の動作時間が１０秒〜１５秒に設定された場合を例に挙げて説明する。また、図１０に表したように、殺菌水の通水時間、すなわち電解槽ユニット４５０への通電時間が３秒に設定された場合を例に挙げて説明する。
【００９６】
まず、図９（ａ）に表した具体例について説明する。  
図８に関して前述したように、制御部４０５は、着座検知センサ４０４が人体を検知すると、電磁弁４３１を開き、温水ヒータ４４１を駆動させ、吐水口４７４から水を排出させる温水準備を開始する（タイミングｔ１０１）。このとき、制御部４０５は、電解槽ユニット４５０には通電していない。そのため、上水が流路２０内を流れ吐水口４７４から排出される。そして、温水サーミスタ４４３により検知された温度は、上昇していく（タイミングｔ１０１〜ｔ１０２：昇温）。
【００９７】
続いて、制御部４０５は、温水サーミスタ４４３により検知された温度が設定温度（適温）になったことを検知（適温検知）すると、温水ヒータ４４１を適宜制御し、その適温を維持する（タイミングｔ１０２〜ｔ１０３：適温継続）。つまり、温水サーミスタ４４３により検知された温度が設定温度になったとしても、制御部４０５は、温水ヒータ４４１の駆動を停止するわけではない。これは、温水サーミスタ４４３により検知された温度が設定温度になったとしても、電解槽ユニット４５０よりも下流側の流路２０が温水で満たされているとは限らないためである。つまり、電解槽ユニット４５０よりも下流側の流路２０に温水を満たすために、温水サーミスタ４４３により検知された温度が設定温度になった後でも、制御部４０５は、温水ヒータ４４１の駆動を停止することなく継続する。
【００９８】
ここで、適温継続の時間（適温継続時間）について、図１０を参照しつつ説明する。  
制御部４０５は、温水準備を開始すると、入水サーミスタ４３３により検知された温度（入水温度）に基づいて適温継続時間を設定する。より具体的に説明すると、入水温度が５℃以下である場合には、制御部４０５は、適温継続時間を６秒に設定する。そして、制御部４０５は、６秒のうちの３秒を上水の通水時間として設定し、６秒のうちの残りの３秒を殺菌水の通水時間として設定する。
【００９９】
入水温度が５℃よりも大きく１０℃以下である場合には、制御部４０５は、適温継続時間を５秒に設定する。そして、制御部４０５は、５秒のうちの２秒を上水の通水時間として設定し、５秒のうちの残りの３秒を殺菌水の通水時間として設定する。  
入水温度が１０℃よりも大きく１５℃以下である場合には、制御部４０５は、適温継続時間を４秒に設定する。そして、制御部４０５は、４秒のうちの１秒を上水の通水時間として設定し、４秒のうちの残りの３秒を殺菌水の通水時間として設定する。  
入水温度が１５℃よりも大きい場合には、制御部４０５は、適温継続時間を３秒に設定する。そして、制御部４０５は、３秒の全てを殺菌水の通水時間として設定する。
【０１００】
つまり、本具体例では、制御部４０５は、入水温度が高い段階になるにつれて適温継続時間を短く設定し、その設定された適温継続時間のうちの３秒を殺菌水の通水時間として確保する。
【０１０１】
図９（ａ）に戻って説明すると、制御部４０５は、温水準備を開始してから７秒未満で適温検知している（タイミングｔ１０２）。この場合には、制御部４０５は、適温継続時間を設定せず、温水準備を開始してから７秒未満では電解槽ユニット４５０において殺菌水を生成させない。つまり、制御部４０５は、電解槽ユニット４５０よりも下流側の流路２０に上水を通水させる。そして、温水準備を開始してから７秒が経過すると、制御部４０５は、電解槽ユニット４５０への通電を開始し、電解槽ユニット４５０において殺菌水を生成させる（タイミングｔ１０３）。つまり、図９（ａ）に表した具体例では、制御部４０５は、温水準備を開始してから７秒が経過するまでは電解槽ユニット４５０への通電を抑制する。続いて、温水準備の動作時間の最小時間である１０秒が経過すると、制御部４０５は、電解槽ユニット４５０への通電を停止し、温水準備を終了する（タイミングｔ１０４）。
【０１０２】
図９（ａ）に表した具体例によれば、制御部４０５は、温水準備を開始してから７秒未満で適温検知した場合でも、殺菌水の通水時間を確保しつつ、電解槽ユニット４５０への通電を停止するタイミングが温水準備を終了するタイミングとなるように、電解槽ユニット４５０への通電を開始することができる。
【０１０３】
次に、図９（ｂ）に表した具体例について説明する。  
図９（ｂ）に表した具体例では、制御部４０５は、着座検知センサ４０４が人体を検知すると、温水準備を開始し（タイミングｔ１１１）、温水準備を開始してから７秒以上、１２秒未満で適温検知している（タイミングｔ１１２）。この場合には、制御部４０５は、入水温度に基づいて適温継続時間を設定する（図１０参照）。
【０１０４】
そして、制御部４０５は、適温検知すると（タイミングｔ１１２）、入水温度に基づいて設定した適温継続時間で適温継続を実行する（タイミングｔ１１２〜ｔ１１４）。より具体的には、制御部４０５は、入水温度に基づいて設定した上水の通水時間で上水を通水させる（タイミングｔ１１２〜ｔ１１３）。その後、制御部４０５は、設定した殺菌水の通水時間（３秒）で電解槽ユニット４５０において殺菌水を生成させ通水させる（タイミングｔ１１３〜ｔ１１４）。続いて、入水温度に基づいて設定された適温継続時間が経過すると、制御部４０５は、電解槽ユニット４５０への通電を停止し、温水準備を終了する（タイミングｔ１１４）。
【０１０５】
図９（ｂ）に表した具体例によれば、制御部４０５は、温水準備を開始してから７秒以上、１２秒未満で適温検知した場合でも、殺菌水の通水時間を確保しつつ、電解槽ユニット４５０への通電を停止するタイミングが温水準備を終了するタイミングとなるように、電解槽ユニット４５０への通電を開始することができる。
【０１０６】
次に、図９（ｃ）に表した具体例について説明する。  
図９（ｃ）に表した具体例では、制御部４０５は、着座検知センサ４０４が人体を検知すると、温水準備を開始し（タイミングｔ１２１）、温水準備を開始してから１２秒以上で適温検知している（タイミングｔ１２３）。この場合には、制御部４０５は、適温継続時間を設定せず、温水準備を開始してから１２秒が経過すると電解槽ユニット４５０への通電を開始し、電解槽ユニット４５０において殺菌水を生成させる（タイミングｔ１２２）。つまり、制御部４０５は、温水準備を開始してから１２秒が経過したときに適温検知していない場合には、電解槽ユニット４５０への通電を強制的に開始する。続いて、温水準備の動作時間の最大時間である１５秒が経過すると、制御部４０５は、電解槽ユニット４５０への通電を停止し、温水準備を終了する（タイミングｔ１２４）。
【０１０７】
図９（ｃ）に表した具体例によれば、制御部４０５は、温水準備を開始してから１２秒が経過したときに適温検知していなくとも、殺菌水の通水時間を確保しつつ、電解槽ユニット４５０への通電を停止するタイミングが温水準備を終了するタイミングとなるように、電解槽ユニット４５０への通電を開始することができる。
【０１０８】
以上説明したように、本具体例（図９（ａ）〜図９（ｃ）に表した具体例）によれば、入水温度が異なった場合や、適温検知のタイミングが異なった場合などにかかわらず、制御部４０５は、殺菌水の通水時間を確保しつつ、電解槽ユニット４５０への通電を停止するタイミングが温水準備を終了するタイミングとなるように、電解槽ユニット４５０への通電を開始することができる。そのため、入水温度が異なった場合でも、電解槽ユニット４５０において殺菌水を無駄に生成したり、殺菌水を流路２０内に無駄に流したり、殺菌水を吐水口４７４から無駄に排出すること抑えることができる。また、陽極板４５１および陰極板４５２の通電時間をより短くすることができるため、陽極板４５１および陰極板４５２の寿命を向上することができる。さらに、陽極板４５１および陰極板４５２の通電時間をより短くすることができるため、スケールが生成されることを抑えることができる。
【０１０９】
また、本具体例において、制御部４０５は、過去の適温継続時間をメモリ４０５ａ（図２参照）に記憶してもよい。そうすると、制御部４０５は、メモリ４０５ａに記憶された過去の適温継続時間を参照して、電解槽ユニット４５０への通電を停止するタイミングが温水準備を終了するタイミングとなるように、電解槽ユニット４５０への通電を開始することができる。なお、「過去の適温継続時間」とは、例えば、衛生洗浄装置１００が使用される直前の数回分の適温継続時間や、過去数日間の同じ時間帯の適温継続時間などである。これによれば、制御部４０５は、過去の適温継続時間を参照できるため、電解槽ユニット４５０において殺菌水を無駄に生成したり、殺菌水を流路２０内に無駄に流したり、殺菌水を吐水口４７４から無駄に排出することより抑えることができる。
【０１１０】
図１１は、本実施形態にかかる衛生洗浄装置の動作の具体例を例示するタイミングチャートである。  
なお、図１１に表したタイミングチャートは、図６（ｃ）に関して例示した温水準備の動作を行う場合の衛生洗浄装置の動作の具体例を表す。
【０１１１】
まず、着座検知センサ４０４が便座２００に着座した使用者を検知すると、制御部４０５は、温水準備を開始する（タイミングｔ１５１）。より具体的には、制御部４０５は、流量切替弁４７１および流路切替弁４７２を「原点」から「ＳＣ（セルフクリーニング）」に切り替え、「おしり洗浄」および「ビデ洗浄」のための全ての吐水口４７４からの吐水を可能とする。
【０１１２】
続いて、流量切替弁４７１および流路切替弁４７２の切り替えが完了すると、制御部４０５は、電磁弁４３１を開き、温水ヒータ４４１を「捨水モード」に設定する（タイミングｔ１５２）。続いて、温水準備を開始してから７秒が経過すると、制御部４０５は、電解槽ユニット４５０への通電を開始し、電解槽ユニット４５０において殺菌水を生成させる（タイミングｔ１５３）。
【０１１３】
このとき、制御部４０５は、流量切替弁４７１および流路切替弁４７２を「ＳＣ」に切り替えているため、「おしり洗浄」および「ビデ洗浄」のための全ての吐水口４７４からの吐水が可能とされている。そして、電解槽ユニット４５０において生成された殺菌水が吐水口４７４から吐水されるため、電解槽ユニット４５０よりも下流側の流路２０の内部および吐水口４７４の部分は、殺菌水により殺菌される。
【０１１４】
続いて、制御部４０５は、電解槽ユニット４５０への通電を開始してから３秒が経過すると、電解槽ユニット４５０への通電を停止する（タイミングｔ１５４）。また、これと同時に、制御部４０５は、流量切替弁４７１および流路切替弁４７２を「ＳＣ」から「原点」に切り替え、温水ヒータ４４１を「捨水モード」から「保温制御モード」に設定変更する（タイミングｔ１５４）。
【０１１５】
このように、制御部４０５は、温水準備を開始してから７秒が経過すると、電解槽ユニット４５０への通電を強制的に開始し、電解槽ユニット４５０への通電を開始してから３秒が経過すると、電解槽ユニット４５０への通電を停止する。そのため、制御部４０５は、殺菌水の通水時間を確保しつつ、電解槽ユニット４５０への通電を停止するタイミングが温水準備を終了するタイミングあるいは終了する前のタイミングとなるように、電解槽ユニット４５０への通電を開始することができる。そのため、電解槽ユニット４５０において殺菌水を無駄に生成したり、殺菌水を流路２０内に無駄に流したり、殺菌水を吐水口４７４から無駄に排出すること抑えることができる。
【０１１６】
続いて、制御部４０５は、電磁弁４３１を閉じる（タイミングｔ１５５）。なお、制御部４０５が温水ヒータ４４１を設定変更した後に電磁弁４３１を閉じるのは、いわゆる「後沸き防止」のためである。つまり、温水ヒータ４４１は、「捨水モード」から「保温制御モード」へ設定変更された後でも余熱を発生するためである。
【０１１７】
続いて、制御部４０５は、操作部５００に設けられた図示しない「おしり洗浄スイッチ」が使用者により押されるまで待機し、吐水口４７４から吐水する水の温度を保温する（タイミングｔ１５６〜ｔ１５７）。このとき、制御部４０５は、電磁弁４３１を閉じ、流路切替弁４７２を閉じているため、電解槽ユニット４５０において生成された殺菌水を電解槽ユニット４５０よりも下流側の流路２０の内部に所定時間保持することができる。これにより、使用者が「おしり洗浄」を実行する前において、電解槽ユニット４５０よりも下流側の流路２０の内部を殺菌することができる。
【０１１８】
続いて、使用者が操作部５００に設けられた図示しない「おしり洗浄スイッチ」を押すと（タイミングｔ１５７）、制御部４０５は、局部洗浄を実行する信号を受信する。そして、制御部４０５は、流量切替弁４７１および流路切替弁４７２を「原点」から「ＳＣ」に切り替え、電磁弁４３１を開き、温水ヒータ４４１を「前洗浄モード、本洗浄モード、後洗浄モード」に設定する。このとき、制御部４０５は、電解槽ユニット４５０には通電せず殺菌水を生成させない。そのため、吐水口４７４の部分は、吐水口４７４自身が吐水した上水により洗浄される。
【０１１９】
言い換えれば、流路２０の内部に保持されていた殺菌水は、新たに供給される上水により吐水口４７４から排水される。つまり、流路２０の内部に保持されていた殺菌水は、新たに供給される上水により置換され、排水される。
【０１２０】
続いて、制御部４０５は、流量切替弁４７１および流路切替弁４７２を「ＳＣ」から「バイパス」に切り替え、ノズル洗浄室４７８に設けられた吐水部４７９から水を噴射可能とする（タイミングｔ１５８）。続いて、制御部４０５は、ケーシング４００に収納されていたノズル４７３を「おしり洗浄」の位置まで進出させる（タイミングｔ１５９〜ｔ１６０）。このとき、制御部４０５は、電磁弁４３１を開いており、電解槽ユニット４５０には通電せず殺菌水を生成させていない。そのため、ノズル４７３の胴体は、吐水部４７９から噴射された上水により洗浄される。そして、吐水部４７９に接続された流路２０の内部に保持されていた殺菌水は、新たに供給される上水により置換され、排水される。
【０１２１】
続いて、制御部４０５は、流量切替弁４７１および流路切替弁４７２を「バイパス」から「おしり水勢５」に切り替え（タイミングｔ１６０〜ｔ１６１）、本洗浄（おしり洗浄）を実行する（タイミングｔ１６１〜ｔ１６２）。なお、例えば、使用者が「おしり洗浄」における水勢を「水勢５」から「水勢３」に操作部５００により設定変更した場合には、制御部４０５は、流量切替弁４７１および流路切替弁４７２を「おしり水勢５」から「おしり水勢３」に切り替える（タイミングｔ１６２〜ｔ１６３）。そして、制御部４０５は、「水勢３」において本洗浄を継続する（タイミングｔ１６３〜ｔ１６４）。
【０１２２】
この本洗浄では、制御部４０５は、電解槽ユニット４５０には通電せず殺菌水を生成させていない。また、流路２０の内部に保持されていた殺菌水は、タイミングｔ１５７〜ｔ１６０において、新たに供給される上水により置換され、排水されている。そのため、殺菌水が使用者の局部に噴射されることはない。また、電解槽ユニット４５０よりも下流側の流路２０の内部は、タイミングｔ１５３〜タイミングｔ１５７において殺菌されているため、きれいな水が吐水口４７４から噴射される。
【０１２３】
続いて、使用者が操作部５００により図示しない「止スイッチ」を押すと、制御部４０５は、流量切替弁４７１および流路切替弁４７２を「おしり水勢３」から「バイパス」に切り替え、ノズル洗浄室４７８に設けられた吐水部４７９から水を噴射可能とする（タイミングｔ１６４）。また、これと同時に、制御部４０５は、電解槽ユニット４５０への通電を開始し、電解槽ユニット４５０において殺菌水を生成させる（タイミングｔ１６４）。
【０１２４】
続いて、制御部４０５は、「おしり洗浄」の位置に進出していたノズル４７３をケーシング４００に収納する（タイミングｔ１６５〜ｔ１６６）。このとき、制御部４０５は、電磁弁４３１を開いており、電解槽ユニット４５０に通電し殺菌水を生成させている。そのため、ノズル４７３の胴体は、吐水部４７９から噴射された殺菌水により殺菌される。
【０１２５】
続いて、制御部４０５は、ノズル４７３を「水抜き」の位置まで進出させ（タイミングｔ１６６〜ｔ１６７）、その後、ノズル４７３をケーシング４００内に収納する（タイミングｔ１６７〜ｔ１６８）。これにより、吐水口４７４が設けられたノズル４７３の先端部およびノズル４７３の外周表面は、殺菌水により殺菌される。このように、制御部４０５は、吐水部４７９から殺菌水を噴射しつつ、ノズル４７３を再び進退させることにより、ノズル４７３の先端部および胴体をより確実に殺菌することができる。このとき、「おしり洗浄」の位置よりも進出量の少ない「水抜き」の位置までノズル４７３を進出させて殺菌することにより、使用者に違和感を与えないようにすることができる。
【０１２６】
続いて、制御部４０５は、流量切替弁４７１および流路切替弁４７２を「バイパス」から「ＳＣ」に切り替え、「おしり洗浄」および「ビデ洗浄」のための全ての吐水口４７４から殺菌水を吐水することにより後洗浄を行う（タイミングｔ１６８〜ｔ１６９）。このときにも、制御部４０５は、電磁弁４３１を開いており、電解槽ユニット４５０に通電しているため、ノズル４７３の吐水口４７４の部分は、吐水口４７４自身が吐水した殺菌水により殺菌される。
【０１２７】
続いて、制御部４０５は、電解槽ユニット４５０への通電を停止し、流量切替弁４７１および流路切替弁４７２を「ＳＣ」から「原点」に切り替え、温水ヒータ４４１を「保温制御モード」に設定する（タイミングｔ１６９）。その後、制御部４０５は、電磁弁４３１を閉じる（タイミングｔ１７０）。なお、制御部４０５が温水ヒータ４４１を設定変更した後に電磁弁４３１を閉じるのは、前述したように、いわゆる「後沸き防止」のためである。
【０１２８】
続いて、着座検知センサ４０４が人体を検知しなくなってから所定時間（例えば約５分程度）が経過すると、制御部４０５は、流量切替弁４７１および流路切替弁４７２を「原点」から「ＳＣ」に切り替え（タイミングｔ１７１）、ノズル４７３を「水抜き」の位置まで移動させる（タイミングｔ１７２）。これにより、流路２０の内部の「水抜き」が実行される（タイミングｔ１７１〜ｔ１７３）。つまり、制御部４０５は、流路２０の内部の殺菌水を抜き、流路２０の内部を空にする。なお、「水抜き」の実行時間は、例えば約３０秒程度である。
【０１２９】
以上説明したように、本実施形態によれば、制御部４０５は、着座検知センサ４０４が人体を検知した後、電磁弁４３１を開き、温水ヒータ４４１を駆動させ、吐水口４７４から水を排出させる温水準備を実行する。さらに、制御部４０５は、電解槽ユニット４５０よりも下流側の流路２０に殺菌水を満たすために必要な時間に基づいて、温水準備を開始した後に電解槽ユニット４５０を駆動させるタイミングを制御する。
【０１３０】
これによれば、より少ない量の殺菌水で電解槽ユニット４５０よりも下流側の流路２０を満たすことができる。そのため、殺菌水が無駄に排出されることを抑えることができる。また、陽極板４５１および陰極板４５２の通電時間をより短くすることができるため、陽極板４５１および陰極板４５２の寿命を向上することができる。さらに、陽極板４５１および陰極板４５２の通電時間をより短くすることができるため、スケールが生成されることを抑えることができる。
【０１３１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、衛生洗浄装置１００などが備える各要素の形状、寸法、材質、配置などやノズル４７３やノズル洗浄室４７８の設置形態などは、例示したものに限定されるわけではなく適宜変更することができる。  
また、電解槽ユニット４５０において生成される殺菌水は、銀イオンや銅イオンなどの金属イオンを含む溶液であってもよい。あるいは、電解槽ユニット４５０において生成される殺菌水は、電解塩素やオゾンなどを含む溶液であってもよい。あるいは、電解槽ユニット４５０において生成される殺菌水は、酸性水やアルカリ水であってもよい。あるいは、殺菌水生成手段は、電解槽に限定されるわけではない。すなわち、殺菌水は、殺菌剤および殺菌液を水に溶解させることによって生成される殺菌水であってもよい。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１３２】
１０ 給水源、  ２０ 流路、  １００ 衛生洗浄装置、  ２００ 便座、  ３００ 便蓋、  ３１０ 透過窓、  ４００ ケーシング、  ４０１ 電源回路、  ４０３ 人体検知センサ、  ４０４ 着座検知センサ、  ４０５ 制御部、  ４０７ 排気口、  ４０８ 排出口、  ４０９ 凹設部、  ４１０ 分岐金具、  ４２０ 連結ホース、  ４３０ バルブユニット、  ４３１ 電磁弁、  ４３２ 調圧弁、  ４３３ 入水サーミスタ、  ４３４ 安全弁、  ４３５ 水抜栓、  ４４０ 熱交換器ユニット、  ４４１ 温水ヒータ、  ４４２ バキュームブレーカ、  ４４３ 温水サーミスタ、  ４５０ 電解槽ユニット、  ４５１ 陽極板、  ４５２ 陰極板、  ４７０ ノズルユニット、  ４７１ 流量切替弁、  ４７２ 流路切替弁、  ４７３ ノズル、  ４７４ 吐水口、  ４７５ 取付台、  ４７６ ノズルモータ、  ４７７ 伝動部材、  ４７８ ノズル洗浄室、  ４７９ 吐水部、  ５００ 操作部、  ８００ 便器、  ８０１ ボウル
【図１】
0005532412.tif 000002
【図２】
0005532412.tif 000003
【図３】
0005532412.tif 000004
【図５】
0005532412.tif 000005
【図６】
0005532412.tif 000006
【図７】
0005532412.tif 000007
【図８】
0005532412.tif 000008
【図９】
0005532412.tif 000009
【図１０】
0005532412.tif 000010
【図１１】
0005532412.tif 000011
【図４】
0005532412.tif 000012